(57)【要約】【課題】  棚板の種類が異なってもブラケットを共通して使用できる棚板受体の提供。【解決手段】  複数の支柱１と、棚板を受ける複数のブラケット２とを備え、支柱１は、高さ方向に複数の係止孔３を有し、ブラケット２は、後端部に係止爪４を、中間部に棚板載置部５を備え、先端部に係止突起６を軸着してあり、係止突起６は棚板載置部５の上方位置と下方位置の間を回転し且つ上方位置で棚板を係止するものであり、棚板載置部５には棚板の係止片７と係止する係止溝８が設けてあり、ブラケット２は支柱の係止孔３に係止爪４を係止して取付けてあることを特徴とする。【選択図】      図１
2005318941.tif 000002
【特許請求の範囲】
【請求項１】
複数の支柱と、棚板を受ける複数のブラケットとを備え、支柱は、高さ方向に複数の係止孔を有し、ブラケットは、後端部に係止爪を、中間部に棚板載置部を備え、先端部に係止突起を軸着してあり、係止突起は棚板載置部の上方位置と下方位置の間で回転し且つ上方位置で棚板を係止するものであり、棚板載置部には棚板の係止片と係止する係止溝が設けてあり、ブラケットは支柱の係止孔に係止爪を係止して取付けてあることを特徴とする棚板受体。
【請求項２】
係止突起は、左右方向の軸でブラケットに軸着してあり、上方位置から前側に回転するのを規制するストッパーを有していることを特徴とする請求項１記載の棚板受体。
【発明の詳細な説明】
【技術分野】
【０００１】
本発明は、スーパーの商品陳列棚等に用いられる棚板受体に関するものである。
【背景技術】
【０００２】
スーパーの商品陳列棚は、左右方向に間隔をおいて設けた支柱の前面に棚板を支持するブラケットの係止孔を高さ方向に複数設けてあり、係止孔に係止してブラケットを支柱の任意の高さに取付け、左右のブラケット間に棚板を横架して構成してある。棚板は、主にスチール製、木製、ガラス製の三種類の材質のものが用いられる。図１１（ａ）は、スチール製の棚板の一般的な受け方を示しており、棚板９０ａは薄い鉄板から下方が開放する浅い箱形に形成され、上面壁の側部に切り起しによって位置決め用の突片９１を下向きに設けてあり、ブラケット９２ａは棚板の側部に収容して棚板を支持し、棚板の突片９１をブラケットの係止溝９３に係止して棚板が位置決めされる。図１１（ｂ）は、木製の棚板の一般的な受け方を示しており、ブラケット９２ｂは上縁部を折り曲げてアングル状に形成され、ブラケットの棚板載置部には棚位置決め用の突起９４を有し、その突起を棚板裏面に形成した穴９５に差し込んで棚板９０ｂを位置決めしている。図１１（ｃ）は、ガラス製棚板の一般的な受け方を示しており、左右のブラケット９２ｃ間に滑り止めの付いた棚受けバー９６を横架し、ブラケット９２ｃ及び棚受けバー９６上にガラス製棚板９０ｃを載置し、ブラケットの先端部には突起９７が形成してあって、棚板９０ｃの前縁が突起９７に係止する。ガラス製、木製の棚板用のブラケットは、スチール製の棚板を載置しようとすると、棚板載置部から突出して設けてある突起が邪魔になって載置できない。
【０００３】
特許文献１には、ブラケットの先端に棚板を係止する係止突起を着脱自在に設けたものが記載されている。しかしこのブラケットは、係止突起を取り外した状態では使用できず、上述の多種類の棚板に対応できるものではなく、また、係止突起が曲がったり抜けたりするおそれがあり、棚板を係止する力も弱いと予想される。
【特許文献１】特表２００４−５０３３２２号公報
【発明の開示】
【発明が解決しようとする課題】
【０００４】
このように従来は、棚板の種類ごとにその受け方が異なるため、各種類ごとに異なった形状のブラケットを製作しなければならず、ブラケットの製作、在庫管理が煩雑となっている。また、既存の棚の棚板を別の種類のものに交換する場合に、ブラケットも合わせて交換しなければならないため、費用が嵩む。本発明はこうした実情に鑑みてなされたものであって、棚板の種類が異なってもブラケットを共通して使用できる棚板受体の提供を目的とする。
【課題を解決するための手段】
【０００５】
上記の課題を達成するために本発明の棚板受体は、複数の支柱と、棚板を受ける複数のブラケットとを備え、支柱は、高さ方向に複数の係止孔を有し、ブラケットは、後端部に係止爪を、中間部に棚板載置部を備え、先端部に係止突起を軸着してあり、係止突起は棚板載置部の上方位置と下方位置の間で回転し且つ上方位置で棚板を係止するものであり、棚板載置部には棚板の係止片と係止する係止溝が設けてあり、ブラケットは支柱の係止孔に係止爪を係止して取付けてあることを特徴とする。
【０００６】
請求項２記載の発明は、係止突起は、左右方向の軸でブラケットに軸着してあり、上方位置から前側に回転するのを規制するストッパーを有していることを特徴とする。
【発明の効果】
【０００７】
請求項１記載の発明による棚板受体は、ブラケット先端部に棚板を係止する係止突起を棚板載置部の上方位置と下方位置の間で回転自在に軸着して備え、棚板載置部に棚板の係止片と係止する係止溝を設けてあるので、木製やガラス製の棚板を載置する場合には係止突起を上方位置にして棚板を係止突起に係止し、スチール製の棚板を載置する場合には係止突起を下方位置にして棚板の係止片を係止溝に係止できるので、共通のブラケットに何れの棚板でも載置できる。ブラケットを共通化することで、ブラケットの生産、在庫管理が容易となり、コスト削減にも繋がる。
【０００８】
請求項２記載の発明によれば、ブラケット先端部の構成を簡素化すると共に、係止片の強度アップを図ることができる。
【発明を実施するための最良の形態】
【０００９】
以下、本発明の実施の形態を図面に基づいて説明する。図１０は、本発明の棚板受体の一実施形態であって、スーパーの商品陳列棚に応用した場合を示している。この商品陳列棚は、台座部２０から起立する背板部２１に、複数本の支柱１が左右方向に間隔をおいて鉛直に設けられ、各支柱の前面に設けた係止孔３にブラケット２を係止して取付け、左右のブラケット２に跨って棚板９を載置するもので、棚板９の段数及び高さは適宜変更できる。このブラケット２には、木製、ガラス製、スチール製の、３種類の棚板９ａ，９ｂ，９ｃを載置できるようになっている。支柱１は、前面にスリット状の係止孔３を高さ方向に複数設けてある。
【００１０】
ブラケット２は、金属の板をレーザーカット等により切断して形成され、図１に示すように、後端部に支柱の係止孔３に係止する係止爪４を備え、係止爪４を係止孔３に係止して支柱１に段階的に高さを変えて取付けできる。ブラケット２は、中間部に棚板載置部５を有しており、棚板載置部５には、スチール製の棚板９ｃを載置する際に該棚板の係止片７を係止して位置決めするための係止溝８と、ガラス製の棚板９ｂを載置する場合に棚受けバー１８の端部が係止する凹部１１とを、それぞれ前後方向に間隔をおいて複数設けてある。ブラケット２の先端部には、係止突起６を左右方向に貫通するリベット１２で軸着して棚板載置部５から突出自在に設けてある。係止突起６は、下部側に側方に突出するストッパー１４を有している。ブラケット２の先端部は円弧状に形成され、下方側に溝状の被係止部１５を設けてある。係止突起６は、棚板載置部５から上方に突出する上方位置では、図２に示すように、ストッパー１４がブラケットの被係止部１５に係止して、前側への回転が規制される。係止突起６は、この状態から後側には回転させることができ、図３に示すように、棚板載置部５の下方位置まで回転できる。
【００１１】
図４と図５は、このブラケット２に木製の棚板９ａを載置する場合を示しており、このときは係止突起６を上方位置にして使用する。棚板９ａは、下面側の側部に前後方向に溝１６が形成してあると共に、その溝１６の前側端部に穴１７を形成してある。棚板９ａは、前記溝１６にブラケットの棚板載置部５が嵌合し、且つ前記穴１７にブラケットの係止突起６を挿入し、位置決めした状態でブラケット２に支持される。
【００１２】
図６と図７は、ブラケット２にガラス製の棚板９ｂを載置する場合を示しており、このときも係止突起６を上方位置にして使用する。左右のブラケット２，２間には、棚受けバー１８を、その端部の係止部１９を棚板載置部の凹部１１に係止して横架してある。棚受けバー１８の上面には滑り止め（図示省略）を有している。棚板９ｂは、ブラケットの棚板載置部５及び棚受けバー１８上に載置され、前縁が係止突起６に係止し、棚板９ｂが前側に移動するのを規制している。
【００１３】
図８と図９は、ブラケット２にスチール製の棚板９ｃを載置する場合を示しており、このときは係止突起６を下方位置にして使用する。棚板９ｃは、薄い鉄板から下方が開放した浅い箱形に形成され、ブラケット２を両側部に収容する形でブラケット２に支持される。棚板９ｃには、上面壁から下方に突出して係止片７を設けてあり、係止片７をブラケットの係止溝８に係止して棚板９ｃが位置決めされる。係止片７を前側の係止溝８に係止して棚板９ｃを図８の状態よりも前に出してブラケット２に取付けることもでき、その場合には棚板９ｃの後壁と棚の背面板との間の隙間から電源コード等を通すことができる。係止片７は、棚板９ｃの上面壁を切り起こして形成してもよいし、別体に設けた係止片７を棚板に溶接して設けてもよい。
【００１４】
本発明は以上に述べた実施形態に限定されるものではなく、各部の形態は自由に設計できる。棚板の形態、ブラケットの棚板の受け方も上記実施形態に限定されず、ブラケットの係止突起と係止溝の両方で棚板を係止してもよい。係止突起は、前後方向の軸でブラケットに軸着してもよい。上方位置にある係止突起が前側に回転するのを規制するストッパーは、ブラケット側に例えばピンを打ち込む等して形成してもよい。本発明の棚板受体は、スーパーの商品陳列棚に限らず、本棚、飾り棚など種々の棚に利用でき、支柱を部屋の壁に直接固定するものであってもよい。
【図面の簡単な説明】
【００１５】
【図１】本発明の棚板受体の一実施形態を示す側面図である。
【図２（ａ）（ｂ）】ブラケット先端部を拡大して示す平面図と側面図である。
【図３】係止突起を下方位置に回転させた状態を示すブラケット先端部の側面図である。
【図４】ブラケットに木製の棚板を載置した状態を示す棚板前後方向の縦断面図である。
【図５】同じく木製の棚板を載置した状態を示す棚板左右方向の縦断面図である。
【図６】ブラケットにガラス製の棚板を載置した状態を示す棚板前後方向の縦断面図である。
【図７】同じくガラス製の棚板を載置した状態を示す正面図である。
【図８】ブラケットにスチール製の棚板を載置した状態を示す棚板前後方向の縦断面図である。
【図９】同じくスチール製の棚板を載置した状態を示す棚板左右方向の縦断面図である。
【図１０】本発明の棚板受体を適用した商品陳列棚の正面図である。
【図１１（ａ）（ｂ）（ｃ）】従来の棚板のブラケットへの受け方を示す斜視図であって、（ａ）はスチール製棚板の場合、（ｂ）は木製棚板の場合、（ｃ）はガラス製棚板の場合を示している。
【符号の説明】
【００１６】
１  支柱
２  ブラケット
３  係止孔
４  係止爪
５  棚板載置部
６  係止突起
７  係止片
８  係止溝
９  棚板
９ａ  木製棚板
９ｂ  ガラス製棚板
９ｃ  スチール製棚板
１２  リベット（軸）
１４  ストッパー
【図１】
2005318941.tif 000003
【図２（ａ）（ｂ）】
2005318941.tif 000004
【図３】
2005318941.tif 000005
【図４】
2005318941.tif 000006
【図５】
2005318941.tif 000007
【図６】
2005318941.tif 000008
【図７】
2005318941.tif 000009
【図８】
2005318941.tif 000010
【図９】
2005318941.tif 000011
【図１０】
2005318941.tif 000012
【図１１（ａ）（ｂ）（ｃ）】
2005318941.tif 000013